(57)【要約】      （修正有）【課題】個人の住宅の屋根の上で、雨天でも夜間でも極弱い風でも発電が出来、強い風の時には回転翼の風受けの開閉により装置を保護できる風力発電装置を提供する。【解決手段】水平回転する回転翼の上面の所定位置に所定幅で所定奥行を有する切り込みを入れて、回転翼の下面にヒンジを取付けてその下に所定重さのウエイトを取付け、遠心力でウエイトが外に移動して、ヒンジから上面が開閉し、回転翼の風受け面積の開閉をする事を特徴とした風力発電装置であって、風の影響の少ないピラミット型の収納部に発電装置を収納し、発電した電気を蓄電池に蓄電する。【選択図】図１
0003226432.tif 000002
【実用新案登録請求の範囲】
【請求項１】
水平回転する回転翼に遠心力を応用して風の強弱で回転翼の上面が開閉する事を特徴とした装置を供え該発電装置を風の影響の少ないピラミット型に発電装置を備え発電した電気を蓄電池に蓄電する事を特徴とした装置。
【請求項２】
請求項１に掲載の回転翼の取り付け元にプロペラ取り付け部に降雪を防ぐプロペラスピンナーを取付けた事を特徴として、作業中に回転翼の外側に回転中に近づいた時に事故を防ぐ回転ガードパイプを取付けた事を特徴とした装置
【請求項３】
本装置の取付け場所に適した台座を取付けた事を特徴としてその上面に本装置を取付けた事を特徴として、希な振動などで台座の移動を防ぐ為に適切なコードでターンバックで固定をする装置である。
【考案の詳細な説明】
【技術分野】
【０００１】本装置は風を利用して装置の上部にプロペラスピンナーを取付けて降雪を防ぎ、地上に対して水平に取り付けた風受け回転翼の下面に強風の時に回転の遠心力で回転翼の上面の開閉の可変が出来る仕組みを取付ける。
本装置の発電装置は風の影響の少ないピラミット型の中に発電装置を収納して家屋の屋根に取り付けが出来る装置とする。
【背景技術】
【０００２】従来の発電は、水力、原発、太陽光、縦型回転などで発電をしているが、いずれも大規模な発電で、太陽光以外は住宅の上では発電装置が困難である。
そこで水平回転翼を取付けた遠心力を応用した回転翼の風の強弱で翼の上面が開閉装置を組み込んだ装置で発電装置はピラミット型をした装置で全体がで風の影響を出来るだけ少なくした装置で家屋の負担を考慮した装置である。
又発電した電気は地上に導き、リチームイオン電池などに蓄え適切な電圧に該インバーターなどで変圧してして利用する。
【参考文献】
風力発電機政策ガイドブック      金綱均
【考案の開示】
【０００３】本装置は適切な数の水平回転翼を用いて水平回転をさせて、回転の強弱で回転翼が風の強弱で開閉して強風の影響を受けにくくした装置である。
特に風受け部分の上面の適切な位置に適切な幅で適切な奥行適切な切り込みを入れて、遠心力でその切り込みをスライドして遠心力で切り込みをスライドしてヒンジから上面が開閉する仕組みとする。
開閉装置は風受け回転翼の下面に該ヒンジを取付けて、その下に適切な重さのウエイトを取付け、風の強弱で遠心力で作動させる。
【０００４】本装置は回転翼で得られた回転力でシャフトの下部に円盤を取付けて、その円板に弱い風でも適切な該永久磁石を取り付け、その外側に発電出来るコイルを巻き付けて適切な数量を取付けて発電装置をピラミット型をした収納装置に発電をして出来るだけ全体の高さを抑えて家屋などで使用出来る装置とする。。
【０００５】回転翼の各先端を作業中や突風などの影響を避ける為に、安全パイプなどを取付けて、回転翼の保全や破壊会費が期待できる。
【０００６】本装置の回転翼は取付け板に適切な数の回転翼をメンテナンスが容易なように適切なビスとナットで取り付ける。
【０００７】回転翼の作成は、水平な板に直角の立ち上がりをして上面の板には図４参照で上面の板に４５度に加工して夫々適切なヒンジで繋ぎ、上面の板が４５度以上にならぬようにする。
【０００８】回転翼の風受け面積の開閉装置は図４の参照で翼先端部にの下の板に金具を取り付け、上の板の箇所にも金具を取り付け、遠心力で動くウエイトの金具図４参照を取付けて風の強弱で開閉する仕組みを取付ける。
【０００９】住宅のグシ瓦上部に取り付ける装置は住宅の適切な場所に取り付け自然風の影響を出来るだけ考慮して回転じくが高さの影響の少ない形状とする。
【考案が解決しようとする課題】
【００１２】従来、家庭用の太陽光発電は住宅の太陽光の当たる場所に設置をするが、雪、曇り、雨、夜間では発電が出来ない。
【００１３】本装置は、全天候でも極弱い風で全回転翼に強風除け
装置を取付けてのヒンジを取付けて発電が期待できて、その上装置が軽量で住宅の屋根の損傷をしにくい。又、装置は半永久的で発電が可能である。
上面の翼は下翼の横断面は直角に加工をしてその上に取り付るけ翼の制作は角度１３５度にして常に天候に配慮する。
【００１４】本装置は回転翼の直径に対して装置内部の発電そうちの円盤を有効な大きさにして弱い風でも発電が出来る様に出来る。
【００１５】回転翼の上面には装置の保存の為に、プロペラスピンナーを取付けて又、回転翼の外側には補修工事などでの事故防止の為に外周に安全パイプを取付ける。
【００１６】本装置の設置は、予め設置場所に合した台座を取付けてその台座に本装置を取付けて発電した電気をコードを充電装置に導く仕組みとする。
【課題を解決するための手段】
【００１７】本装置は、住宅以外の土地に夫々ピラミット型の高さを違えて回転翼の影響の無いように設置すると土地の面積に対して、多くの本装置の設置が可能でフルタイムで大きな電力の発電が期待できる。
【００１８】本装置は水平型なので限られた面積に多くの発電装置を設置出来る。
【００１９】本装置の回転翼の横断面は上面と下面の形状を違えて、降雪の出来にくい装置として雪国対策が出来る。
【００２０】回転翼の風受け面積の開閉は強風の時に遠心力でウエイトが外に移動して同時に回転翼の上面が狭くなり強風による以上回転の帽子が出来る。
開閉装置は回転翼の下面の適切な位置にヒンジを取付けてその下面に遠心力で外側に移動する装置を取付けて回転が速くなると装置が外側に移動してその働きで開閉装置の上下運動をする装置を取付けてある程度の早い回転がある時に装置が上下して作動が可能な装置を取付ける。
【考案を実施するための最良の形態】
【００２１】本装置は、住宅の屋根などに装着をしたら発電をした電力を電力会社に売却をして自家消費も出来る。又適切な充電池に充電をして有効に利用が可能である。
自家消費には適切なトランスで交流電気に変換をする。【００２２】発電装置の形態は回転がスムーズに出来る様に永久磁石を多数取付けて回転翼の回転が弱くても多数の永久磁石を取り付ける円盤大きくしてを収納箱にて電気を発電するようにする。
【産業上の利用可能性】
【００２３】保有している土地に本装置を可能な限りの装置を設置すると発電をした電力を電力会社に売却が出来る。【００２４】住宅の屋根などで発電した電力は電力会社に売却が可能である。
又電気自動車に充電をする事も可能であると同時に家庭の電力として使用する事も可能である。
【図面の簡単な説明】
【００２５】
【図１】回転翼の中央に降雪を防ぐ為のプロペラスピンナーを取付けて回転翼の風受け部分の下面に遠心力で回転翼の開閉をする装置を取付けて、風の抵抗を防ぐピラミッド型の発電装置
【図２】本装置の上から見た上面図であるが作業中の事故防止の安全パイプを取付けた図である。
【図３】水平回転翼の装置を取付ける家屋の屋根の上のグシ瓦の場所に取り付ける台座の取付け方法である。
【符号の説明】
【００２６】１降雪を防ぐプロペラスピンナー  ２  回転翼  ３  回転翼の上面の開閉装置  ４風力発電装置を備えるピラミッド型の装置  ５風力発電装置を乗せる台座  ６  回転翼の外周に取り付ける安全パイプ  ７  装置全てを乗せる台座  ８  家屋の頂上付近のグシ瓦付近回転翼の風受け上面の開閉をする遠心力開閉装置
【図１】
0003226432.tif 000003
【図２】
0003226432.tif 000004
【図３】
0003226432.tif 000005
【手続補正書】
【提出日】令和2年3月17日(2020.3.17)
【手続補正１】
【補正対象書類名】実用新案登録請求の範囲
【補正対象項目名】請求項１
【補正方法】変更
【補正の内容】
【請求項１】
水平回転する回転翼の上面の所定位置に所定幅で所定奥行を有する切り込みを入れて、回転翼の下面にヒンジを取付けてその下に所定重さのウエイトを取付け、遠心力でウエイトが外に移動して、ヒンジから上面が開閉し、回転翼の風受け面積の開閉をする事を特徴とした装置を備え、該発電装置を風の影響の少ないピラミット型に発電装置を備え、発電した電気を蓄電池に蓄電する事を特徴とした装置。
【手続補正２】
【補正対象書類名】実用新案登録請求の範囲
【補正対象項目名】請求項３
【補正方法】変更
【補正の内容】
【請求項３】
請求項１に記載の装置の取付け場所に適した台座を取付けた事を特徴としてその上面に本装置を取付けた事を特徴として、希な振動などで台座の移動を防ぐ為に適切なコードでターンバックで固定をする装置。